(57)【要約】      （修正有）【課題】簡単な構造で容易かつ確実に網状物を支持することができる支持具を提供する。【解決手段】網状物を支持物に取り付けて支持するための支持具であって、支持物１０３に取り付けられる本体部２１と、網状物２０１の網目を通過不可能な固定部３１と、を備えてなり、本体部及び固定部の一方が、先端側が他方に向けて突出し網状物の網目を貫通し得る突起部を有し、他方が、網状物の網目を貫通した突起部のうち網状物よりも先端側の部分である突出部分２７ｂに係合する係合部３５ｂを有する。【選択図】図５
0003195947.tif 000002
【実用新案登録請求の範囲】
【請求項１】
網状物を支持物に取り付けて支持するための支持具であって、
支持物に取り付けられる本体部と、網状物の網目を通過不可能な固定部と、を備えてなり、
本体部及び固定部の一方が、先端側が他方に向けて突出し網状物の網目を貫通し得る突起部を有し、
該他方が、網状物の網目を貫通した突起部のうち網状物よりも先端側の部分である突出部分に係合する係合部を有するものである、網状物の支持具。
【請求項２】
本体部が網状物の網目を通過不可能なものであり、本体部と固定部との間に網状物が挟持されるものである、請求項１に記載の網状物の支持具。
【請求項３】
前記一方が複数の突起部を有すると共に、前記他方が該複数の突起部それぞれに係合する係合部を有するものである、請求項１又は２に記載の網状物の支持具。
【請求項４】
係合部が、突出部分を嵌入する係合穴である、請求項１乃至３のいずれか１に記載の網状物の支持具。
【請求項５】
突出部分を係合穴に嵌入した嵌入状態から突出部分を係合穴から抜き取る抜き取り過程において、係合穴及び／又は突出部分が変形することにより突出部分を係合穴から抜き取る抵抗を生じるものである、請求項４に記載の網状物の支持具。
【請求項６】
前記嵌入状態から突出部分を係合穴から抜き取る抜き取り過程において、変形を生じる係合穴の部分を形成する材料及び／又は突出部分を形成する材料が弾性材料である、請求項５に記載の網状物の支持具。
【請求項７】
前記変形を生じる係合穴の部分を形成する材料の引張弾性率Ｅ１が、突出部分を形成する材料の引張弾性率Ｅ２に対する割合Ｒ（＝Ｅ１／Ｅ２）が１未満である、請求項６に記載の網状物の支持具。
【請求項８】
係合穴に突出部分を嵌入する際に係合穴を通り抜ける通過部と、通過部が係合穴を通過した後に係合穴を貫通する貫通部と、を突出部分が有してなり、
係合穴を貫通する貫通部の変形よりも、係合穴を通過する際の通過部の変形の方が大きいものである、請求項５乃至７のいずれか１に記載の網状物の支持具。
【請求項９】
係合穴を通過した通過部を収容する空間である通過部収容空間を前記他方が有するものである、請求項８に記載の網状物の支持具。
【請求項１０】
前記一方が本体部であり、前記他方が固定部であり、
本体部が、裏面側が支持物に取り付けられると共に表面に突起部の基端が取り付けられた平板状の本体部板状部を有してなり、
固定部が、裏面が本体部板状部の表面に面するように配置され、裏面に連通するように係合穴が形成された固定部板状部を有してなるものである、請求項４乃至９のいずれか１に記載の網状物の支持具。
【請求項１１】
係合穴を通過した通過部を収容する空間である通過部収容空間が、固定部板状部の係合穴に連通するように形成されたものである、請求項１０に記載の網状物の支持具。
【請求項１２】
本体部が、粘着、吸着、磁力、ネジにより支持物に取り付ける取付手段を有するものである、請求項１乃至１１のいずれか１に記載の網状物の支持具。
【考案の詳細な説明】
【技術分野】
【０００１】
本考案は、網状物の支持具に関し、より詳細には、網状物を確実かつ容易に支持することができる網状物の支持具に関する。
【背景技術】
【０００２】
網状物は、網の目を通過可能な物を通過させると共に、網の目を通過不可能な物を通過させないため等のために様々なところで用いられている（例えば、特許文献１参照）。
特許文献１には、「屋内の玄関あるいは壁面や窓開口部の開閉装置、網戸等にさらには屋外への設置にも有用な、その設置の自由度が大きく、操作も容易で、外観性も良好な、新しい開閉スクリーン装置に関」（特許文献１、発明の詳細な説明中、段落番号０００１）し、「ワイヤーテンション・システムによるスクリーン装置の特長を最大限に生かしつ、しかもワイヤーの露出にともなう制約を解消して、足元でのワイヤー切れの心配がなく、外観性も良好で、その設置計画の自由度が大きく、しかも操作性にも優れた新しい開閉スクリーン装置を提供する」（特許文献１、発明の詳細な説明中、段落番号０００６）ためになされた「少くとも上下または左右の一対の対向固定枠部とその中間に配置された１以上の可動枠部とを有し、可動枠部にはプリーツ状スクリーン部材の一端が取付け支持され、このプリーツ状スクリーン部材には可動枠部をもって複数のワイヤーが張設されてワイヤーテンション・システムが構成され、可動枠部の動きにともなって前記スクリーン部材が収縮および展開自在とされた開閉スクリーン装置において、張設されたワイヤーのうちの少くとも一対のものの各々の端部が、可動枠部において、一端が固定枠部の固定された他端が可動枠部に対し挿入引出自在とされた屈曲弾性を有するスライドガイド枠部に接続されていることを特徴とする開閉スクリーン装置。」（特許文献１、請求項１）が開示されている。かかる特許文献１に開示された開閉スクリーン装置によれば、「従来の開閉スクリーン装置におけるワイヤーの露出にともなう制約を解消し、設計および設置の自由度が大きく、操作性や外観性も良好な新しい開閉スクリーン装置が提供される。窓開閉装置、間仕切り、網戸をはじめ、各種の屋内および屋外に設置できる開閉スクリーン装置となる。」（特許文献１、発明の詳細な説明中、段落番号００２０）という効果を奏する。
【先行技術文献】
【特許文献】
【０００３】
【特許文献１】特開平１０−２８０８３８号公報（例えば、要約、段落番号０００１〜０００８、００２０、第１図等）
【考案の概要】
【考案が解決しようとする課題】
【０００４】
このような特許文献１に開示された開閉スクリーン装置は網状物（特許文献１中では網戸）を支持物（特許文献１では枠部）に取り付けることができるが、可動枠部を設けたり複数のワイヤーを張設する等のように構造が複雑であることから、網状物を支持する際の費用が増加する問題があった（開閉スクリーン装置自体も高価になることに加え、かかる装置の設置工事も煩雑であるためコスト増加をもたらす。）。
そこで、本考案では、簡単な構造で容易かつ確実に網状物を支持することができる支持具を提供することを目的とする。
【課題を解決するための手段】
【０００５】
本考案の支持具（以下、「本支持具」という。）は、網状物を支持物に取り付けて支持するための支持具であって、支持物に取り付けられる本体部と、網状物の網目を通過不可能な固定部と、を備えてなり、本体部及び固定部の一方が、先端側が他方に向けて突出し網状物の網目を貫通し得る突起部を有し、該他方が、網状物の網目を貫通した突起部のうち網状物よりも先端側の部分である突出部分に係合する係合部を有するものである、網状物の支持具である。
【０００６】
本支持具は、支持物に取り付けられると共に網状物を支持するための支持具である。
本支持具は本体部と固定部とを備えてなる。本体部は支持物に取り付けられ、固定部は網状物が有する網目（例えば、網状物が縦糸と横糸とを編んで形成される場合であれば、隣接する一対の縦糸と、隣接する一対の横糸と、の間に表面と裏面とを連通するように形成される。）を通過不可能に形成される。
そして、本体部及び固定部の一方が突起部を有し、突起部は先端側が他方に向けて突出する（一方が本体部の場合は他方が固定部となり、一方が固定部の場合は他方が本体部となる。）。突起部は、網状物の表面と裏面との間で網状物の網目を貫通するような寸法及び形状とされる。
さらに、本体部及び固定部の他方が係合部を有し、係合部は突起部の突出部分に係合する。ここに突出部分は、網状物の網目を貫通した突起部のうち網状物よりも先端側の部分をいう。
かかる本支持具によれば、本体部を支持物に取り付け、本体部及び固定部の一方が有する突起部に網状物の網目を貫通させ、網状物の網目を貫通させた突起部の突出部分に、本体部及び固定部の他方が有する係合部を係合させることで、該一方と該他方との間に網状物を保持することができる（支持物及び固定部は網状物の網目を通過不可能であるので網状物が保持される。）。このように本支持具は、本体部と固定部とを含む簡単な構造で容易かつ確実に網状物を支持することができる。
【０００７】
本支持具においては、本体部が網状物の網目を通過不可能なものであり、本体部と固定部との間に網状物が挟持されるものであってもよい。
こうすることで突起部に網状物の網目を貫通させることに加え、網状物が本体部と固定部との間に挟持されるので、一層確実に網状物を支持することができる。
【０００８】
本支持具においては、前記一方が複数の突起部を有すると共に、前記他方が該複数の突起部それぞれに係合する係合部を有するものであってもよい。
こうすることで、複数の突起部が網状物の網目を貫通し、係合部が突起部の突出部分に係合することで、複数の突起部により網状物が保持されるので、一層確実に網状物を支持することができる。
【０００９】
本支持具においては、係合部が、突出部分を嵌入する係合穴であってもよい（以下、「係合穴本支持具」という。）。
こうすることで突出部分を嵌入する係合穴という簡単な構成により係合部を形成することができるので、本支持具を簡単な構造とすることができる（例えば、本支持具の製作費用の低減を可能ならしめる。）。
【００１０】
係合穴本支持具においては、突出部分を係合穴に嵌入した嵌入状態から突出部分を係合穴から抜き取る抜き取り過程において、係合穴及び／又は突出部分が変形することにより突出部分を係合穴から抜き取る抵抗を生じるもの（以下、「抜き取り抵抗発生本支持具」という。）であってもよい。
こうすることで嵌入状態の突出部分を係合穴から抜き取る抜き取り過程において突出部分を係合穴から抜き取る抵抗を生じるので、嵌入状態から突出部分が係合穴から不意に抜けることを防止又は減少させ、網状物を安定して支持することができる。また、抜き取る抵抗は係合穴及び／又は突出部分が変形することにより生じるので、抜き取り抵抗を生じさせる格別の手段を要さず、本支持具を簡単に構成することができる。
【００１１】
抜き取り抵抗発生本支持具においては、前記嵌入状態から突出部分を係合穴から抜き取る抜き取り過程において、変形を生じる係合穴の部分を形成する材料及び／又は突出部分を形成する材料が弾性材料であってもよい（以下、「弾性材料形成本支持具」という。）。
こうすることで前記嵌入状態の突出部分を係合穴から抜き取る抜き取り過程において、変形可能な弾性材料により形成された係合穴の部分及び／又は突出部分がうまく変形しそして戻る（変形が消失）ことで抜き取り過程及び突出部分を係合穴に嵌入する嵌入過程を円滑ならしめることができる。また、ここにいう弾性材料としては、低密度ポリエチレンや軟質ポリ塩化ビニルなどの柔軟性樹脂や、エラストマー（例えば、天然ゴムやブタジエンゴムなどの加硫ゴム、熱可塑性エラストマー等）を挙げることができる。
【００１２】
弾性材料形成本支持具においては、前記変形を生じる係合穴の部分を形成する材料の引張弾性率Ｅ１が、突出部分を形成する材料の引張弾性率Ｅ２に対する割合Ｒ（＝Ｅ１／Ｅ２）が１未満であってもよい。
このようにＲ（＝Ｅ１／Ｅ２）を１未満とすることで、比較的柔らかい係合穴に硬い突出部分が嵌入されるので、突出部分を係合穴に容易に嵌入することができ使用を便ならしめる。このように突出部分を係合穴に嵌入しやすくするためにはＲが小さい方が好ましいが、あまりＲが小さいと突出部分を係合穴から抜き取る際の抵抗が小さくなって突出部分が係合穴から不意に抜けることを防止又は減少させる効果が小さくなるのでそれらを両立する範囲とされてもよく、下限として好ましくは１／７以上であり、より好ましくは１／６以上であり、最も好ましくは１／５以上であり、上限として好ましくは１未満であり、より好ましくは１／２以下であり、最も好ましくは１／３以下である（Ｒは、好ましくは１／７以上１未満であり、より好ましくは１／６以上１／２以下であり、最も好ましくは１／５以上１／３以下である。）。
ここにいう引張弾性率Ｅ１、Ｅ２は「ＪＩＳ  Ｋ６９２２−２」に従って測定されたものをいう。
【００１３】
抜き取り抵抗発生本支持具においては、係合穴に突出部分を嵌入する際に係合穴を通り抜ける通過部と、通過部が係合穴を通過した後に係合穴を貫通する貫通部と、を突出部分が有してなり、係合穴を貫通する貫通部の変形よりも、係合穴を通過する際の通過部の変形の方が大きいもの（以下、「通過部具備本支持具」という。）であってもよい。
このように突出部分が通過部と貫通部とを有することで、係合穴に突出部分を嵌入すると、通過部が係合穴を通り抜けると共に貫通部が係合穴を貫通した状態となる。この貫通部が係合穴を貫通した状態における貫通部の変形よりも、通過部が係合穴を通過する際の通過部の変形の方が大きいことにより、嵌入状態の突出部分を係合穴から抜き取る抜き取り過程において突出部分を係合穴から抜き取る抵抗が確実に生じるので（通過部が係合穴を通り抜ける必要がある）、嵌入状態の突出部分が係合穴から不意に抜けることを効果的に防止又は減少させることができる。なお、貫通部が係合穴を貫通した状態における貫通部の変形とは、全く変形がない状態（変形０）をも含むものであり、例えば、通過部が係合穴を通過する際に通過部の変形が生じるが、貫通部が係合穴を貫通した状態における貫通部の変形がない場合であっても、ここにいう「係合穴を貫通する貫通部の変形よりも、係合穴を通過する際の通過部の変形の方が大きい」ことを満たす。
【００１４】
通過部具備本支持具においては、係合穴を通過した通過部を収容する空間である通過部収容空間を前記他方が有するものであってもよい。
こうすることで、係合穴を通過した通過部が通過部収容空間に収容されることで、何らかの物が通過部に衝突する等して通過部が破損することを防止又は減少させることで通過部を保護し嵌入状態の突出部分が係合穴から不意に抜けることを防止又は減少させることができる。なお、通過部収容空間は、係合穴を通過した通過部の一部又は全部を収容することができるものであればよい。
【００１５】
係合穴本支持具においては、前記一方が本体部であり、前記他方が固定部であり、本体部が、裏面側が支持物に取り付けられると共に表面に突起部の基端が取り付けられた平板状の本体部板状部を有してなり、固定部が、裏面が本体部板状部の表面に面するように配置され、裏面に連通するように係合穴が形成された固定部板状部を有してなるもの（以下、「板状構成本支持具」という。）であってもよい。
こうすることで、本体部が平板状の本体部板状部を有し、本体部板状部は、裏面側が支持物に取り付けられると共に表面に突起部の基端が取り付けられている。そして固定部が平板状の固定部板状部を有し、固定部板状部は、裏面が本体部板状部の表面（突起部が形成）に面するように配置され、係合穴が裏面に連通するように形成されている。このような本体部板状部の裏面側を支持物に取り付け、突起部に網状物の網目を貫通させた後、固定部板状部の裏面に連通するように形成された係合穴に突出部分を嵌入することで、本体部板状部を支持物に容易かつ円滑に取り付けることができると共に係合穴に突出部分を容易かつ円滑に嵌入することができ、本支持具の使用を便ならしめることができる。
【００１６】
板状構成本支持具においては、係合穴を通過した通過部を収容する空間である通過部収容空間が、固定部板状部の係合穴に連通するように形成されたものであってもよい。
こうすることで係合穴を通過した通過部が通過部収容空間に収容されることで、何らかの物が通過部に衝突する等して破損することを防止又は減少させることで通過部を保護し嵌入状態の突出部分が係合穴から不意に抜けることを防止又は減少させることができる。そして、このような通過部収容空間が固定部板状部の係合穴に連通するように形成されるので、固定部板状部に通過部収容空間となる穴を係合穴に連通するように形成することにより、容易に通過部収容空間を形成できる。なお、通過部収容空間は、係合穴を通過した通過部の一部又は全部を収容することができるものであればよい。
【００１７】
本支持具においては、本体部が、粘着、吸着、磁力、ネジにより支持物に取り付ける取付手段を有するものであってもよい。
本体部を支持物に取り付ける方法は様々な方法を用いることができるが、本体部が、支持物に本体部を取り付ける取付手段を有するものであれば本体部を支持物に容易かつ迅速に取り付けることができ便利である。
取付手段としては、網状物の種類及び大きさ、支持物の種類等に応じて適宜選択できるが、粘着、吸着、磁力、ネジにより本体部を支持物に取り付けるものであってもよい。このうち粘着、吸着、磁力によれば、支持物を傷めることを少なくできる。
【図面の簡単な説明】
【００１８】
【図１】本考案の一実施形態の支持具（本支持具）を構成するオス部材を示す図である。
【図２】本考案の一実施形態の支持具（本支持具）を構成するメス部材を示す図である。
【図３】本支持具の使用方法の第１ステップを示す図である。
【図４】本支持具の使用方法の第２ステップを示す図である。
【図５】本支持具の使用方法の第３ステップを示す図である。
【図６】図５（ｂ）の点線で描かれた円Ｋ中の拡大図である。
【図７】窓を取り囲むように形成された窓枠の四隅に本支持具を配置することで網を窓枠に取り付けたところを示す図である。
【図８】本支持具の第１変形例を示す図である。
【図９】本支持具の第２変形例を示す図である。
【図１０】本支持具の第３変形例を示す図である。
【考案を実施するための形態】
【００１９】
本考案の実施の形態を図面を参照して詳述するが、本考案はこれに限定されるものではない。
【００２０】
図１は、本考案の一実施形態の支持具（本支持具）を構成するオス部材２１を示す図であり、詳細には、図１（ａ）はオス部材２１の平面図であり、図１（ｂ）は図１（ａ）のＡ−Ａ断面図であり、そして図１（ｃ）は図１（ｂ）中の点線で描かれた円Ｂ中の拡大図である。図１を参照して、オス部材２１について説明する。なお、本考案の一実施形態の支持具（本支持具）は、後述するメス部材３１とオス部材２１とを含んで構成される。
オス部材２１は、大まかには、両主表面（表面２３ａ及び裏面２３ｂ）が長方形状を略なす板状の基板部２３と、基板部２３の裏面２３ｂに形成された粘着部２５と、基板部２３の表面２３ａに形成された４個の突起２７と、を備えてなる。
粘着部２５は、具体的には、裏面２３ｂの略全面に貼着された両面テープにより構成されており、その裏面２５ｂは粘着面となっているが、使用するまでは粘着面の保護シート（粘着面が不意に粘着しないようにする）（不図示）が貼着されている。
【００２１】
４個の突起２７は、いずれも同じ形状及び同じ寸法に形成されており、基板部２３の両主表面（表面２３ａ及び裏面２３ｂ）がなす長方形の一対の長辺から等しい距離に存する該長辺に平行な直線に沿って等間隔に形成されている。図１（ｃ）から明らかなように、突起２７は、基端が基板部２３の表面２３ａに取り付けられた直円柱状の基端部２７ａと、基端部２７ａの先端に取り付けられた直円錐形状の先端部２７ｂと、を有してなる。基端部２７ａがなす該直円柱の軸と、先端部２７ｂがなす該直円錐の軸と、は一直線上に存し、先端部２７ｂがなす該直円錐の底面が基端部２７ａの先端に取り付けられている。加えて、突起２７の先端部２７ｂは、本支持具が支持する網状物の網目を通過（先端部２７ｂがなす該直円錐の頂点を先頭として網目にさし込む）することができる大きさとされている。
基板部２３と４個の突起２７とは、高密度ポリエチレン（引張弾性率：１１００ＭＰａ、「ＪＩＳ  Ｋ６９２２−２」による測定値）により一体的に形成されている。
【００２２】
図２は、本考案の一実施形態の支持具（本支持具）を構成するメス部材３１を示す図であり、詳細には、図２（ａ）はメス部材３１の平面図であり、図２（ｂ）は図２（ａ）のＣ−Ｃ断面図であり、そして図２（ｃ）は図２（ｂ）中の点線で描かれた円Ｅ中の拡大図である。図２を参照して、メス部材３１について説明する。
メス部材３１は、両主表面（表面３３ａ及び裏面３３ｂ）が長方形状を略なす板状部材により一体に形成されており、両主表面（表面３３ａ及び裏面３３ｂ）がなす長方形の一対の長辺から等しい距離に存する該長辺に平行な直線に沿って厚肉部３２が形成されている。そして、該直線に沿って等間隔に４個の嵌入穴３５が厚肉部３２に表面３３ａと裏面３３ｂとを連絡するように形成されている。メス部材３１の裏面３３ｂが基板部２３の表面２３ａに面するように配置すると、この４個の嵌入穴３５は４個の突起２７の位置に一致するように形成されている。また、４個の嵌入穴３５はいずれも同じ形状及び同じ寸法に形成されている。
【００２３】
図２（ｃ）から明らかなように、嵌入穴３５は、裏面３３ｂに一底面が属するように形成された直円柱状の小径部３５ａと、小径部３５ａが形成する該直円柱の他底面を一底面が含むように形成された直円柱状の大径部３５ｂと、を有してなる。小径部３５ａがなす該直円柱の軸と、大径部３５ｂがなす該直円柱の軸と、は一直線上に存し、嵌入穴３５は両主表面（表面３３ａ及び裏面３３ｂ）を連絡するように厚肉部３２を貫通している。また、突起２７の先端部２７ｂを小径部３５ａに裏面３３ｂ側から表面３３ａ方向に押し込むと、主として小径部３５ａが変形（弾性変形）することで先端部２７ｂを小径部３５ａは通過させることができる。そして、裏面３３ｂ側から表面３３ａ方向に小径部３５ａを通過した先端部２７ｂは大径部３５ｂに収容されると共に、基端部２７ａは小径部３５ａに嵌入された状態となる。このように先端部２７ｂが大径部３５ｂに収容されると共に基端部２７ａが小径部３５ａに嵌入された状態においては、先端部２７ｂが小径部３５ａを通過するには抵抗があるので、オス部材２１に対してメス部材３１を取り付けた状態を保持できる（該抵抗に抗して先端部２７ｂを小径部３５ａを通過させ抜き取ることもでき、それによってオス部材２１からメス部材３１を取り外すこともできる。）。
メス部材３１は、低密度ポリエチレン（引張弾性率：２３０ＭＰａ、「ＪＩＳ  Ｋ６９２２−２」による測定値）により一体的に形成されている。
【００２４】
次いで、オス部材２１とメス部材３１とを含んで構成される本支持具の使用方法について説明する。
図３は、本支持具の使用方法の第１ステップを示す図であり、詳細には、図３（ａ）は、窓１０１を規定する窓枠１０３（図３（ａ）は窓枠１０３の一部を図示している）にオス部材２１を貼着したところを示しており、図３（ｂ）は図３（ａ）のＦ−Ｆ断面図である。図３を参照して、本支持具の使用方法の第１ステップについて説明する。
まず、上述の如く、粘着部２５の裏面２５ｂに貼着された保護シートを剥離し、粘着面を露出させる。その後、窓枠１０３の所定位置に該粘着面を押しつけ粘着することでオス部材２１を窓枠１０３に取り付ける（該粘着面を窓枠１０３に粘着させオス部材２１を窓枠１０３に取り付けたところを図３は示している。）。
【００２５】
図４は、本支持具の使用方法の第２ステップを示す図であり、詳細には、図４（ａ）は、第１ステップにて窓枠１０３にオス部材２１を取り付けた後、網２０１をオス部材２１に係止したところを示しており、図４（ｂ）は図４（ａ）のＧ−Ｇ断面図である。図４を参照して、本支持具の使用方法の第２ステップについて説明する。
ここで用いる網２０１は、窓から虫が侵入しないように窓に取り付けられる網戸に用いられる網と同様のものである。網２０１は、縦糸と横糸とが編成されてなり、これらの糸同士の間に隙間が形成されることで空気を流通させるが、通過してはならない虫（例えば蚊）が通過できない程度の大きさに該隙間は形成されている（虫は通過不可能であるが、空気は自由に通過できる）。なお、図示及び理解を容易にするため、図中では網２０１の縦糸及び横糸を図示していない。
第２ステップにおいては、第１ステップにて窓枠１０３に取り付けられたオス部材２１の突起２７の先端部２７ｂを、取り付けるべき網２０１が有する該隙間に差し込む（先端部２７ｂがなす該直円錐の頂点を先頭に該隙間にさし込む）。このように突起２７の先端部２７ｂを網２０１の該隙間（網目）にさし込んだ状態を図４は示している。
【００２６】
図５は、本支持具の使用方法の第３ステップを示す図であり、詳細には、図５（ａ）は、第２ステップにて網２０１をオス部材２１の突起２７に係止した後、メス部材３１を取り付けたところを示しており、図５（ｂ）は図５（ａ）のＪ−Ｊ断面図である。そして、図６は、図５（ｂ）の点線で描かれた円Ｋ中の拡大図である。図５及び図６を参照して、本支持具の使用方法の第３ステップについて説明する。
第３ステップにおいては、第２ステップにて網２０１が係止されたオス部材２１にメス部材３１を取り付ける。具体的には、オス部材２１の突起２７の先端部２７ｂを小径部３５ａに裏面３３ｂ側から表面３３ａ方向に押し込むことで先端部２７ｂが小径部３５ａを通過し大径部３５ｂに収容されると共に、基端部２７ａは小径部３５ａに嵌入された状態となる。かかる状態においては、先端部２７ｂが小径部３５ａを通過するには抵抗があるので、オス部材２１に対してメス部材３１が取り付けられる。なお、突起２７は４個存在するが、これらはいずれも４個存在する嵌入穴３５それぞれに上述のように係合することで図５及び図６に示すようにオス部材２１にメス部材３１が確実かつ容易に取り付けられる。
このように突起２７と嵌入穴３５とが係合してオス部材２１にメス部材３１が取り付けられた状態においては、網２０１はその網目（網２０１を構成する糸同士の間の隙間）に４本の基端部２７ａが貫通すると共にオス部材２１（基板部２３）とメス部材３１との間に挟持されるので確実に支持される（図示及び理解を容易にするため図６においては裏面３３ｂと表面２３ａとの間を広く図示しているが、実際には網２０１は裏面３３ｂと表面２３ａとの間に挟持されている。）。このようにして本支持具を用いることで窓枠１０３に対して網２０１を容易かつ確実に取り付けることができる。
【００２７】
図７は、窓１０１を取り囲むように形成された窓枠１０３の四隅に本支持具１１（上述の如く、オス部材２１とメス部材３１とにより構成される）を配置することで網２０１を窓枠１０３に取り付けたところを示す図である。このように本支持具１１によれば、窓１０１に網２０１を簡単な構造で容易かつ確実に取り付けることができる。
そして、本支持具は用いる場所や目的等に応じて種々の変更が可能である。図８は本支持具の第１変形例であり、詳細には図８（ａ）はオス部材２１を示す図であり、図８（ｂ）はメス部材３１を示す図である。図８においては、図１乃至図７に示した本支持具において説明した要素と同様の要素には同じ参照番号を付すことで、重複する説明を省略する。
図９は本支持具の第２変形例であり、詳細には図９（ａ）はオス部材２１を示す図であり、図９（ｂ）はメス部材３１を示す図である。図９においても、図１乃至図７に示した本支持具において説明した要素と同様の要素には同じ参照番号を付している。
図１０は本支持具の第３変形例であり、詳細には図１０（ａ）はオス部材２１を示す図であり、図１０（ｂ）はメス部材３１を示す図である。図１０においても、図１乃至図７に示した本支持具において説明した要素と同様の要素には同じ参照番号を付している。
【００２８】
以上の通り、本支持具１１は、網状物（ここでは網２０１）を支持物（ここでは窓枠１０３）に取り付けて支持するための支持具であって、支持物（窓枠１０３）に取り付けられる本体部（ここではオス部材２１）と、網状物（網２０１）の網目を通過不可能な固定部（ここではメス部材３１）と、を備えてなり、本体部（オス部材２１）及び固定部（メス部材３１）の一方（ここでは本体部（オス部材２１））が、先端（ここでは先端部２７ｂがなす直円錐の頂点）側が他方（ここでは固定部（メス部材３１））に向けて突出し網状物（網２０１）の網目を貫通し得る突起部（ここでは突起２７）を有し、該他方（固定部（メス部材３１））が、網状物（網２０１）の網目を貫通した突起部（突起２７）のうち網状物（網２０１）よりも先端（先端部２７ｂがなす直円錐の頂点）側の部分である突出部分（図６においては網２０１よりも上方に存在する突起２７の部分）に係合する係合部（ここでは小径部３５ａ）を有するものである、網状物（網２０１）の支持具である。このような本支持具１１によれば、網状物（網２０１）の網目を貫通させた突起部（突起２７）の突出部分に係合部（小径部３５ａ）を係合させることで、該一方（本体部（オス部材２１））と該他方（固定部（メス部材３１））との間に網状物（網２０１）を保持することができる。
【００２９】
本支持具１１においては、本体部（オス部材２１）が網状物（網２０１）の網目を通過不可能なものであり、本体部（オス部材２１）と固定部（メス部材３１）との間に網状物（網２０１）が挟持されるものである（ここでは上述の通り、網２０１は裏面３３ｂと表面２３ａとの間に挟持される。）。
本支持具１１においては、前記一方（本体部（オス部材２１））が複数（ここでは４）の突起部（突起２７）を有すると共に、前記他方（固定部（メス部材３１））が該複数（ここでは４）の突起部（突起２７）それぞれに係合する係合部（小径部３５ａ）を有するものである。
本支持具１１においては、係合部が、突出部分を嵌入する係合穴（小径部３５ａ）である。
【００３０】
本支持具１１においては、突出部分を係合穴（小径部３５ａ）に嵌入した嵌入状態（例えば、図５及び図６）から突出部分を係合穴（小径部３５ａ）から抜き取る抜き取り過程において、係合穴（小径部３５ａ）及び／又は突出部分が変形することにより突出部分を係合穴（小径部３５ａ）から抜き取る抵抗を生じるものである（ここでは係合穴（小径部３５ａ）及び突出部分の両方が変形するが、係合穴（小径部３５ａ）の変形の方が突出部分の変形よりも大きい。）。
本支持具１１においては、前記嵌入状態（例えば、図５及び図６）から突出部分を係合穴（小径部３５ａ）から抜き取る抜き取り過程において、変形を生じる係合穴（小径部３５ａ）の部分を形成する材料及び／又は突出部分を形成する材料が弾性材料である（ここでは変形を生じる係合穴（小径部３５ａ）の部分が低密度ポリエチレンにより形成されている。）。
本支持具１１においては、前記変形を生じる係合穴（小径部３５ａ）の部分を形成する材料の引張弾性率Ｅ１（ここでは２３０ＭＰａ）が、突出部分を形成する材料の引張弾性率Ｅ２（ここでは１１００ＭＰａ）に対する割合Ｒ（＝Ｅ１／Ｅ２）が１未満（ここでは０．２１であり、１／５以上１／３以下の範囲に含まれている。）である。
本支持具１１においては、係合穴（小径部３５ａ）に突出部分を嵌入する際に係合穴（小径部３５ａ）を通り抜ける通過部（ここでは先端部２７ｂ）と、通過部（先端部２７ｂ）が係合穴（小径部３５ａ）を通過した後に係合穴（小径部３５ａ）を貫通する貫通部（ここでは基端部２７ａ）と、を突出部分が有してなり、係合穴（小径部３５ａ）を貫通する貫通部（基端部２７ａ）の変形（ここでは図６のようにほぼ変形していない（変形０））よりも、係合穴（小径部３５ａ）を通過する際の通過部（先端部２７ｂ）の変形の方が大きいものである。
本支持具１１においては、係合穴（小径部３５ａ）を通過した通過部（先端部２７ｂ）を収容する空間である通過部収容空間（ここでは大径部３５ｂ）を前記他方（固定部（メス部材３１））が有するものである。
【００３１】
本支持具１１においては、前記一方（本体部（オス部材２１））が本体部であり、前記他方（固定部（メス部材３１））が固定部であり、本体部（オス部材２１）が、裏面（裏面２３ｂ）側が支持物（窓枠１０３）に取り付けられると共に表面（表面２３ａ）に突起部（突起２７）の基端が取り付けられた平板状の本体部板状部（ここでは基板部２３）を有してなり、固定部（メス部材３１）が、裏面（裏面３３ｂ）が本体部板状部（基板部２３）の表面（表面２３ａ）に面するように配置され、裏面（裏面３３ｂ）に連通するように係合穴（小径部３５ａ）が形成された固定部板状部（板状のメス部材３１）を有してなるものである。そして、本支持具１１においては、平板状の本体部板状部（ここでは基板部２３）の厚み（表面２３ａと裏面２３ｂとの間の距離）を小さく形成できるので、網状物（網２０１）と支持物（ここでは窓枠１０３）との間の隙間を小さくすることができる（網状物（網２０１）と支持物（ここでは窓枠１０３）との間の隙間を小さくすることで、該隙間を好ましくない物（例えば、蚊のような害虫）が通過することを防止又は減少させることができる。）。
本支持具１１においては、係合穴（小径部３５ａ）を通過した通過部（先端部２７ｂ）を収容する空間である通過部収容空間（ここでは大径部３５ｂ）が、固定部板状部（板状のメス部材３１）の係合穴（小径部３５ａ）に連通するように形成されたものである。
本支持具１１においては、本体部（オス部材２１）が、粘着、吸着、磁力、ネジ（ここでは粘着）により支持物（窓枠１０３）に取り付ける取付手段（ここでは粘着部２５）を有するものである。
【符号の説明】
【００３２】
１１          本支持具
２１          オス部材
２３          基板部
２３ａ        表面
２３ｂ        裏面
２５          粘着部
２５ｂ        裏面
２７          突起
２７ａ        基端部
２７ｂ        先端部
３１          メス部材
３２          厚肉部
３３ａ        表面
３３ｂ        裏面
３５          嵌入穴
３５ａ        小径部
３５ｂ        大径部
１０１          窓
１０３          窓枠
２０１          網
【図１】
0003195947.tif 000003
【図２】
0003195947.tif 000004
【図３】
0003195947.tif 000005
【図４】
0003195947.tif 000006
【図５】
0003195947.tif 000007
【図６】
0003195947.tif 000008
【図７】
0003195947.tif 000009
【図８】
0003195947.tif 000010
【図９】
0003195947.tif 000011
【図１０】
0003195947.tif 000012